(57)【要約】      （修正有）【課題】手荷物ケースの重量を測定するための手荷物ケース付属品を提供する。【解決手段】手荷物ケース付属品１は、本体１０、検出部、制御部及び出力部を備える。本体１０は、ハンドル３０に着脱可能に取り付けられる嵌め込み構造を有する。重量検出部は、本体に配置され、ハンドルに掛かる荷重重量を検出して、重量信号を出力する。制御部は、重量検出部と接続され、重量信号を受信し、重量信号に応じて制御信号を出力する。出力部は、制御部に接続され、制御信号を受信し、制御信号に応じて手荷物ケースの重量状態を出力する。【選択図】図２
2011099851.tif 000002
【特許請求の範囲】
【請求項１】
ハンドルを有する手荷物ケースにおいて使用される手荷物ケース付属品であって、
前記ハンドルに着脱可能に取り付けられる嵌め込み構造を有する本体と、
前記本体に配置され、前記ハンドルに掛かる荷重重量を検出して、重量信号を出力する重量検出部と、
前記重量検出部と接続され、前記重量信号を受信し、前記重量信号に応じて制御信号を出力する制御部と、
前記制御部に接続され、前記制御信号を受信し、前記制御信号に応じて前記手荷物ケースの重量状態を出力する出力部と
を備える手荷物ケース付属品。
【請求項２】
前記重量検出部は、保護パッド及び歪みゲージを含み、
前記保護パッドは、前記歪みゲージを覆い、接触面を形成する請求項１に記載の手荷物ケース付属品。
【請求項３】
前記保護パッドは、軟質のゴムのシートである請求項２に記載の手荷物ケース付属品。
【請求項４】
前記歪みゲージは、抵抗歪みゲージ又は圧電歪みゲージである請求項２または３に記載の手荷物ケース付属品。
【請求項５】
前記出力部は、前記手荷物ケースの重量値及び重量単位を表示する表示部を含む請求項１から４の何れか１項に記載の手荷物ケース付属品。
【請求項６】
前記制御部は、所定の重量値を記憶し、
前記重量信号により表される現在の重量値が、前記所定の重量値よりも大きい場合、前記制御部は、前記制御信号を出力する請求項１から５の何れか１項に記載の手荷物ケース付属品。
【請求項７】
前記制御部に接続され、前記手荷物ケース付属品の前記所定の重力値を調整するための入力部を更に備える請求項６に記載の手荷物ケース付属品。
【請求項８】
前記出力部は、発光部であって、
前記制御部が前記重量信号に応じて前記制御信号を前記発光部に出力することにより、前記発光部が対応する周波数で点滅する請求項１から７の何れか１項に記載の手荷物ケース付属品。
【請求項９】
前記出力部は、ブザーであって、
前記制御部が、前記重量信号に応じて前記制御信号を前記ブザーに出力することにより、前記ブザーが対応する間隔及び長さで警告音を発する請求項１から８の何れか１項に記載の手荷物ケース付属品。
【請求項１０】
前記重量検出部、前記制御部及び前記出力部に接続され、動作電力を提供する電源部を更に備える請求項１から９の何れか１項に記載の手荷物ケース付属品。
【請求項１１】
前記電源部に接続され、前記手荷物ケース付属品のオン・オフ状態を切り替えるスイッチデバイスを更に備える請求項１０に記載の手荷物ケース付属品。
【請求項１２】
前記本体と結合し、前記手荷物ケースに吊るすことが可能な吊り紐を更に備える請求項１から１１の何れか１項に記載の手荷物ケース付属品。
【請求項１３】
前記手荷物ケースは、前記手荷物ケース付属品を収容する収容溝を有する請求項１から１２の何れか１項に記載の手荷物ケース付属品。
【発明の詳細な説明】
【関連出願】
【０００１】
本非仮出願は、３５Ｕ．Ｓ．Ｃ．§１１９（ａ）に基づき、２００９年１１月３日出願の台湾・中華民国出願９８１３７２２６号明細書の優先権を主張するものであり、前記出願の内容は、参照により本明細書に組み込まれる。
【技術分野】
【０００２】
本発明は、手荷物ケース付属品に関し、特に手荷物ケースの重量を測定可能な手荷物ケース付属品に関する。
【背景技術】
【０００３】
旅行者が飛行機で旅行する際に、各航空会社は、旅行者の手荷物の重量に関して明確な制限を設けている。近年、航空業界は、燃料コスト等の輸送コストの増加による損失に悩まされている。コストを削減し、収益を上げるため、各航空会社は、旅行者の機内預け入れ荷物に対して、より厳格な重量制限を導入している。
【０００４】
一般的な家庭には、体重を量るための踏み台状の重量測定装置が存在し、旅行前にこの重量測定装置を使用して、手荷物の重量を量ることが可能である。しかしながら、このような重量測定装置は、大型で、重く、旅行に携帯するには適していない。一般的なばね吊秤のような重量測定装置は、携帯可能であるが、依然として、手荷物ケース内の一定容量を占有し、また重量を加算してしまう。また、ばね吊秤のような重量測定装置は、基本的機構の範囲内の要求にのみ対応して設計されているので、従来の旅行製品に組み込むことができなかった。加えて、ばね吊秤のような重量測定装置では、使用者が重量値を読み取る必要があり、例えば、重量超過を知らせるような便利な設計がされていなかった。
【０００５】
上記のような問題を解決するため、重量測定装置と手荷物ケースとを組み合わせた製品が、開発されている。図１Ａ及び図１Ｂは、従来の重量を測定可能な手荷物ケース９を示した概略図である。手荷物ケース９は、ハンドル９０、重量測定装置９２及びケース本体９４を備える。ハンドル９０は、測定装置９２と接続され、重量測定装置９２は、ケース本体９４の外面に取り付けられる。
【０００６】
重量測定装置９２には、画面が設けられている。重量計測可能手荷物ケース９が持ち上げられると、重量測定装置９２が、ケース本体９４及びケース内に収容されている物品の重量を測定し、計測された重量が、重量測定装置９２の画面に表示される。
【発明の概要】
【発明が解決しようとする課題】
【０００７】
本発明の一側面では、手荷物ケースの重量を計測するのを容易にする手荷物ケース付属品を提供する。
【課題を解決するための手段】
【０００８】
一実施形態において、手荷物ケース付属品は、手荷物ケースに使用され、手荷物ケースは、ハンドルを有する。また、手荷物ケース付属品は、本体、検出部、制御部及び出力部を備える。本体は、ハンドルに着脱可能に取り付けられる嵌め込み構造を有する。重量検出部は、本体に配置され、ハンドルに掛かる荷重重量を検出して、重量信号を出力する。制御部は、重量検出部と接続され、重量信号を受信し、重量信号に応じて制御信号を出力する。また、出力部は、制御部に接続され、制御信号を受信し、制御信号に応じて手荷物ケースの重量状態を出力する。
【０００９】
本発明において、手荷物ケース付属品は、嵌め込み構造を通じて、手荷物ケースのハンドルに着脱可能に固定されていてもよい。そして、手荷物ケースが、手荷物ケースのハンドルを使用して持ち上げられた時に、手荷物ケース付属品が、手荷物ケースの重量を測定する。また、本発明における手荷物ケース付属品は、紐又は止め輪によって手荷物ケースに繋着されてもよい。また、手荷物ケース付属品は、日常の保管、携帯又は他の手荷物ケースの重量を計測するために取り外し可能である。
【００１０】
本発明のこれら及びその他の特徴、側面及び効果は、以下の説明、添付の特許請求の範囲及び添付の図面を参照することにより、より良く理解される。
【図面の簡単な説明】
【００１１】
【図１Ａ】従来の重量測定可能な手荷物ケースを示す概略図である。
【図１Ｂ】従来の重量測定可能な手荷物ケースを示す概略図である。
【図２】本発明の一実施形態に係る手荷物ケース付属品を示す概略図である。
【図３】図２に示す手荷物ケース付属品の底面図である。
【図４】図３の線Ａ−Ａに沿った手荷物ケース付属品の部分断面図である。
【図５】発明の一実施形態に係る手荷物ケース付属品を示した機能ブロック図である。
【図６】本発明の一実施形態に係る手荷物ケースを示した概略図である。
【発明を実施するための形態】
【００１２】
本発明は、手荷物ケースの重量を測定するために、手荷物ケースにおいて使用される手荷物ケース付属品を提供する。手荷物ケース付属品の実施形態を、以下に記載する。
【００１３】
図２〜図５を参照して、実施形態を説明する。図２は、本発明の一実施形態に係る手荷物ケース付属品を示す概略図である。図３は、図２に示す手荷物ケース付属品の底面図である。図４は、図３の線Ａ−Ａに沿った手荷物ケース付属品の部分断面図である。図５は、本発明の一実施形態に係る手荷物ケース付属品を示した機能ブロック図である。
【００１４】
本発明の実施形態では、手荷物ケース付属品１は、本体１０、重量検出部１４、制御部１６、出力部１８、入力部２０、電源部２２、スイッチデバイス２４及び吊り紐２６を備える。
【００１５】
本体１０は、接触面１０ａ及び嵌め込み構造１０ｂを有し、嵌め込み構造１０ｂは、手荷物ケースのハンドル３０に対して着脱可能に取り付けられる。この嵌め込み構造１０ｂは、使用者が手荷物ケース付属品１を手荷物ケースの重量を計測するのに使用する時に、接触面１０ａがハンドル３０と接触するように、手荷物ケースのハンドル３０に取り付けられる。手荷物ケースの重量を計測する必要がない時は、嵌め込み構造１０ｂは、ハンドル３０から取り外されるので、手荷物ケース付属品１を取り外すことができ、また、接触面１０ａもハンドル３０と接触している必要はない。
【００１６】
嵌め込み構造１０ｂは、手荷物ケース付属品１が、ハンドル３０に安定的に結合するのを支援し、これにより計測時の重量計測精度を上げることができる。加えて、手荷物ケース付属品１が、手荷物ケースの重量測定に使用されない時にも、手荷物ケース付属品１を、手荷物ケースに固定されていてもよい。嵌め込み構造１０ｂは、特定の形状に限定されない。本体１０がハンドル３０に固定されてさえいれば、嵌め込み構造１０ｂは、ハンドル３０の形状に応じて様々な設計とすることができる。嵌め込み構造１０ｂは、さらに、金属のハンドル３０に組み込むための、磁石のような磁性物質を含んでもよい。
【００１７】
重量検出部１４は、接触面１０ａに隣接するように本体１０に配置される。したがって、接触面１０ａから、手荷物ケースに加えられている荷重が重量検出部１４に伝わり、重量検出部１４は、荷重重量に応じた重量信号を、制御部１６に出力する。本実施形態では、重量検出部１４は、保護パッド１４１及び歪みゲージ１４２を含む。保護パッド１４１は、歪みゲージ１４２を覆い、接触面１０ａの一部を構成する。保護パッド１４１が、手荷物の重量を歪みゲージ１４２に伝達可能であり、且つ歪みゲージ１４２を保護可能である限り、保護パッド１４１は、硬質又は軟質のパッドであってもよい。保護パッド１４１は、軟質のゴムのシートであってもよい。
【００１８】
歪みゲージ１４２は、抵抗歪みゲージ又は圧電歪みゲージであってもよい。抵抗歪みゲージは、内部構造を変形させる圧力を利用して、変形による内部材料の抵抗の変化を検出して、荷重圧力を計算することにより、荷重重量を取得する。圧電歪みゲージは、圧電材料を使用して、圧力を測定する。圧力が加えられると、圧電材料は、電荷を生成するが、この電荷を測定することにより、荷重圧力及び荷重重量を取得することができる。
【００１９】
制御部１６は、本体１０に配置され、重量検出部１４に接続され、重量信号を受信する。制御部１６は、受信した重量信号に応じて、制御信号を出力部１８に出力する。すなわち、制御部１６は、受信した重量信号を、手荷物ケースの実用的な重量値及び重量の単位に変換し、この重量値及び重量の単位の情報を含む制御信号を出力部１８に出力する。そして、出力部１８は、この手荷物ケースの重量値及び重量単位を出力する。
【００２０】
また、制御部１６は、所定の重量値を記憶していてもよく、重量信号で表された現在の重量値が、所定の重量値よりも大きいか否かを判断してもよい。例えば、制御部１６が、現在の重量値が、所定の重量値よりも小さいと判断した場合は、制御信号を出力しなくてもよい。制御部１６が、現在の重量値が、所定の重量値よりも大きいと判断した場合は、制御信号が出力部１８に出力され、使用者に、手荷物ケースが重量超過であることを知らせる。また、例えば、現在の重量値が、所定の重量値よりも大きくない場合、制御部１６は、現在の重量値と所定の重量値との間の差に応じて、異なる制御信号を出力してもよい。
【００２１】
出力部１８は、制御部１６に接続され、制御信号を受信し、この制御信号に応じて、手荷物ケースの重量状態を出力する。本実施形態では、図３に示すように、出力部１８は、手荷物ケースの重量値及び重量単位を表示するために本体１０の表面に設けられた表示部を含む。例えば、表示部は、液晶ディスプレイ又は有機発光ディスプレイであってもよい。
【００２２】
他の実施形態では、出力部１８は、発光部であってもよい。制御部１６は、重量信号に応じて、制御信号を発光部に出力し、発光部は、対応する周波数で点滅してもよい。例えば、手荷物ケースの計測された現在の重量値が、所定の重量値よりも小さい場合、発光部は発光しなくてもよい。現在の重量値が、所定の重量値の半分である場合、発光部が低い周波数で点滅するようにしてもよい。現在の重量値が、所定の重量値に非常に近い場合、発光部が高い周波数で点滅するようにしてもよい。現在の重量値が、所定の重量値よりも大きい場合、発光部は、点滅することなく、継続的に点灯するようにしてもよい。
【００２３】
また、発光部は、制御信号に応じて、様々な色で発光してもよい。例えば、現在の重量値が、所定の重量値よりも小さく、且つ所定の重量値に近くない場合、発光部は、緑色の光を発光してもよい。現在の重量値が、所定の重量値に近い場合、発光部は、黄色の光を発光してもよい。現在の重量値が、所定の重量値よりも大きい場合、発光部は、赤色の光を発光してもよい。
【００２４】
また、他の実施形態では、出力部１８は、本体１０の表面又は本体１０内に設けられたブザーであってもよい。制御部１６は、重量信号に応じて、制御信号をブザーに出力し、ブザーは、対応する間隔及び長さの警告音を発する。例えば、現在の重量値が、所定の重量値よりも小さく、且つ近くない場合、ブザーは、長い間隔を空けて長時間継続するブザー音を発する。現在の重量値が、所定の重量値に近い場合、ブザーは、短い間隔で短時間継続するブザー音を発する。現在の重量値が、所定の重量値よりも大きい場合、ブザーは、間隔を空けずに継続するブザー音を発する。
【００２５】
手荷物ケース付属品１を使用して、手荷物ケースの重量を測定する動作方法としては、まず、接触面１０ａを上方に向けた後、本体１０を、ハンドル３０の下端部に当接させて配置する。そして、ハンドル３０及び手荷物ケースが、手荷物ケース付属品１の本体１０に掛かる力によって持ち上げられると、本体１０の接触面１０ａがハンドル３０と接触して、手荷物ケースの荷重が、重量検出部１４に伝わる。重量検出部１４の歪みゲージ１４２は、手荷物ケースの重量を測定し、重量信号を出力する。制御部１６は、重量信号に応じて制御信号を出力し、出力部１８は、制御信号に応じた手荷物ケースの重量状態を、表示モード、発光モード、又は音モードで出力して、荷物ケースの重量測定が完了する。
【００２６】
入力部２０は、本体１０に配置され、制御部１６と接続して、制御部１６に保存される所定の重量値を調整可能とする。本実施形態では、入力部２０は、捻って回動させる、つまみ型のボタンであってもよい。使用者は、このボタンを使用して、対応する箇所に調整し、所定の重量値を、実際に必要とする値に調整する。例えば、ボタンに対応して設けられるメモリは、２０ｋｇ、３０ｋｇ、４０ｋｇ等が含まれていてもよい。使用者が、手荷物ケースの重量が２０ｋｇまでに制限されている旅客機で旅行する場合、使用者は、このボタンを捻って２０ｋｇに合わせた後で、測定をおこなう。手荷物ケースの重量が２０ｋｇを超えてしまった場合は、手荷物ケース付属品１が警告を発する。
【００２７】
他の実施形態では、手荷物ケース付属品１は、複数のつまみ型のボタンを含んでもよい。所定の重量値を調整するのに加えて、ボタンを、使用する重量単位に合わせるのに使用してもよい。
【００２８】
電源部２２は、本体１０に配置され、重量検出部１４、制御部１６及び出力部１８に接続して、各要素が動作するのに必要な電力を提供する。電源部２２は、充電式のリチウム電池又は充電式のニッケル水素電池であってもよく、若しくは使い捨ての乾電池であってもよい。
【００２９】
スイッチデバイス２４は、本体１０の表面に設けられ、電源部２２と接続される。スイッチデバイス２４は、電源部２２が電力を提供するか否かを制御して、手荷物ケース付属品１のオン・オフを制御してもよい。
【００３０】
吊り紐２６は、本体１０に結合され、本発明の手荷物ケース付属品１を、手荷物ケースに吊るすのに使用される。例えば、吊り紐は、手荷物ケースのハンドル３０に結び着けられていてもよく、手荷物ケース付属品１が、手荷物ケースに吊るされている状態を補助する。また、本実施形態における手荷物ケース付属品１は、使用者の名前、住所、電話番号等の情報を記入するためのＩＤカードを含んでもよい。また、手荷物ケース付属品１は、このＩＤカードを収容するための、透明な枠部を含んでもよい。
【００３１】
図６は、本発明の一実施形態に係る手荷物ケース３を示した概略図である。図６に示すように、手荷物ケース付属品１を組み込んだ手荷物ケース３は、ハンドル３０に隣接する収容溝３２を備え、そこに手荷物ケース付属品１を収容する。無論、収容溝３２を、手荷物ケース３の他の位置に設けてもよく、手荷物ケース３の内壁に設けてもよい。
【００３２】
以上のように、本発明における手荷物ケース付属品は、嵌め込み構造を通じて手荷物ケースのハンドルに固定することができ、手荷物ケースが、手荷物ケースのハンドルを使用して持ち上げられた時に、手荷物ケース付属品が、手荷物ケースの重量を測定する。本発明における手荷物ケース付属品を、紐又は止め輪によって手荷物ケースに繋着してもよい。手荷物ケース付属品は、保管、携帯又は他の手荷物ケースの重量を計測するために取り外し可能である。
【００３３】
以上、本発明を好ましい実施形態を用いて詳細に説明したが、本開示は本発明の範囲を限定するものではない。本発明の範囲及び精神の範囲で、多様な変更又は改良を加えることが可能であることは当業者にとって明らかである。したがって、添付する本発明の特許請求の範囲は、上記の好ましい実施形態の記述によって限定されるべきではない。
【図１Ａ】
2011099851.tif 000003
【図１Ｂ】
2011099851.tif 000004
【図２】
2011099851.tif 000005
【図３】
2011099851.tif 000006
【図４】
2011099851.tif 000007
【図５】
2011099851.tif 000008
【図６】
2011099851.tif 000009